(57)【特許請求の範囲】
【請求項１】
ナイフロータ（６）と、このナイフロータ（６）の外周面に対して一対のナイフホルダー（８ａ）（８ｂ）を介してスパイラル状に取り付けたナイフ（５）と、前記ナイフロータ（６）に対向するプレーンロータ（７）を備え、前記ナイフ（５）と前記プレーンロータ（７）との間で被切断物（Ｐ）を裁断するようにしたロータリーカッター装置において、前記ナイフホルダー（８ａ）（８ｂ）には、ナイフロータの外周面に固定する固定壁部（８１）が設けられて、この固定壁部（８１）には、ボルト（８８）を挿通するためのボルト挿通孔（８３）が設けられ、このボルト挿通孔に挿通したボルトをナイフロータ６の外周面に設けられたボルト孔（６１）（６２）に螺締して、前記ナイフホルダー（８ａ）（８ｂ）を前記ナイフロータ（６）の外周面上に対向状に固定し、これらナイフホルダー（８ａ）（８ｂ）間に前記ナイフ（５）を介装して、前記ナイフ（５）の一端を前記ナイフロータ（６）の外周面に当接させると共に、前記ナイフホルダー（８ａ）（８ｂ）には、前記ナイフ（５）を固着するための磁石（８７）を設ける一方、前記固定壁部に設けたボルト挿通孔（８３）の内径を、前記ボルト（８８）の軸の外径よりも大きくして、ナイフホルダー（８ａ）（８ｂ）を、前記ボルト（８８）を介して前記ナイフロータに対して位置変更可能とし、ナイフロータ（６）に対するナイフホルダー（８ａ）（８ｂ）の固定位置を調整可能とする第１調整手段と、前記ナイフホルダー（８ａ）（８ｂ）に対する前記ナイフ（５）の取り付け位置を調整可能とする第２調整手段を設けていることを特徴とするロータリーカッター装置。
【発明の詳細な説明】
【０００１】
【発明の属する技術分野】
本発明は、ナイフロータに設けたナイフと、このナイフロータに対向するプレーンロータとの間で紙などの被切断物を裁断するようにしたロータリーカッター装置に関する。
【０００２】
【従来の技術】
一般にこの種のロータリーカッター装置は、例えば特開平５ー２２８７２１号公報に示されているように、ナイフを取り付けたナイフロータと、そのナイフロータに対向するプレーンロータとを備え、これらナイフロータ及びプレーンロータを駆動機構を介して回転させて、前記ナイフとプレーンロータとの間で紙等の被切断物を裁断するようにしている。
【０００３】
ところで、従来のロータリーカッター装置では、前記ナイフをナイフロータに組付けるのに、前述の公報にも開示されているように、ナイフロータの外周面に、該ロータの軸方向に延びる凹溝を穿設して、この凹溝内にナイフとテーパーブロックを嵌め込んで、ナイフの一端を前記凹溝の内底面に当接させると共に、テーパーブロックをナイフロータにボルト止めして、該テーパーブロックと凹溝の内側面とでナイフを挟持することにより、ナイフをナイフロータに固定している。
【０００４】
【発明が解決しようとする課題】
しかしながら以上のロータリーカッター装置においては、ナイフロータに、該ナイフロータの軸方向ほぼ全長にわたって延びる凹溝を穿設する必要があることから、該ナイフロータの強度がそれだけ低下するのは勿論のこと、ナイフの高さの精度も出すために、ナイフの一端を受け止める凹溝の内底面を精度よくしなければならず、加工に手間を要する不具合がある。
【０００５】
またナイフをナイフロータの外周面に対してスパイラル状に設置する場合にあっても、スパイラル角度を調整することが難しいし、また複数のナイフをナイフロータの外周面に一定間隔で設ける場合に、該ナイフロータに凹溝を穿設した時点でナイフロータに対するナイフの取り付け位置が決まってしまい、ナイフロータに対するナイフの取り付け位置を微調整することが出来ないと言う不具合がある。
【０００６】
本発明は以上の実情に鑑みて開発したものであって、目的とするところは、ナイフロータの強度を高めながら、ナイフロータに対するナイフの取り付け位置の微調整が容易に行えるロータリーカッター装置を提供する点にある。
【０００７】
【課題を解決するための手段】
以上の目的を達成するために、請求項１記載の発明は、ナイフロータと、このナイフロータの外周面に対して一対のナイフホルダーを介してスパイラル状に取り付けたナイフと、前記ナイフロータに対向するプレーンロータを備え、前記ナイフと前記プレーンロータとの間で被切断物を裁断するようにしたロータリーカッター装置において、前記ナイフホルダーには、ナイフロータの外周面に固定する固定壁部が設けられて、この固定壁部には、ボルトを挿通するためのボルト挿通孔が設けられ、このボルト挿通孔に挿通したボルトをナイフロータの外周面に設けられたボルト孔に螺締して、前記ナイフホルダーを前記ナイフロータの外周面上に対向状に固定し、これらナイフホルダー間に前記ナイフを介装して、前記ナイフの一端を前記ナイフロータの外周面に当接させると共に、前記ナイフホルダーには、前記ナイフを固着するための磁石を設ける一方、前記固定壁部に設けたボルト挿通孔の内径を、前記ボルトの軸の外径よりも大きくして、ナイフホルダーを、前記ボルトを介して前記ナイフロータに対して位置変更可能とし、ナイフロータに対するナイフホルダーの固定位置を調整可能とする第１調整手段と、前記ナイフホルダーに対する前記ナイフの取り付け位置を調整可能とする第２調整手段を設けていることを特徴とするものである。
【００１０】
【発明の実施の形態】
図１は本発明のロータリーカッター装置を用いた紙裁断機の概略説明図であって、この紙裁断機は、図１に示すように、連続紙を一定速度で引き出すピンチロール装置１と、連続紙Ｐの幅を切り揃えるスリッター装置２と、連続紙Ｐを引き揃えるフィードロール装置３と、本発明にかかるロータリーカッター装置４とから構成され、抄紙機（図示せず）から送り出される連続紙Ｐを、ピンチロール装置１により引き出してスリッター装置２に送り込むと共に、このスリッター装置２にて搬送方向に裁断された連続紙Ｐを、フィードロール装置３により引き揃えてロータリーカッター装置４に送り込み、該ロータリーカッター装置４で、所定の長さに裁断するようにしている。
【００１１】
また本発明にかかるロータリーカッター装置４は、ナイフ５を取り付けたナイフロータ６と、このナイフロータ６に対向するプレーンロータ７とを備え、これらナイフロータ６及びプレーンロータ７とを駆動装置（図示せず）により回転させて、前記フィードロール装置３から送り込まれてくる連続紙Ｐを、ナイフ５とプレーンロータ７との間で裁断するようにしている。
【００１２】
しかして以上の構成からなるロータリーカッター装置４において、一対の第１及び第２ナイフホルダー８ａ・８ｂを別途形成し、この一対の第１及び第２ナイフホルダー８ａ・８ｂを、ナイフロータ６の外周面上に対向状に固定して、これらナイフホルダー８ａ・８ｂ間にナイフ５を介装するようにしたのであって、図に示す実施形態では、ナイフロータ６の外周面上で、且つナイフロータ６の軸芯を中心とした対称位置に、それぞれ第１及び第２ナイフホルダー８ａ・８ｂを対向状に固定して、これらナイフホルダー８ａ・８ｂ間にナイフ５を介装することで、該ナイフロータ６に２枚のナイフ５を設けたのである。
【００１３】
図に示す第１、第２ナイフホルダー８ａ・８ｂは、ナイフロータ６の長手方向全長にわたって延び、基本的には、該ナイフロータ６の外周面上に固定する固定壁部８１と、この固定壁部８１の幅方向一端から立設する縦壁部８２とにより断面略Ｌ字状に構成され、前記固定壁部８１の下面には、前記ナイフロータ６の外周面に載置する一対の脚部８１ａを突設している。
【００１４】
また前記固定壁部８１には複数のボルト挿通孔８３を設けると共に、第１ナイフホルダー８ａの縦壁部８２には、一対のネジ体８４が螺着可能な螺子孔８５を形成して、この螺子孔８５に螺着したネジ体８４を、ナイフホルダー８ａ・８ｂに対するナイフ５の取り付け位置を微調整可能とする第２調整手段とし、また第２ナイフホルダー８ｂにおける縦壁部８２の側面には、該ナイフホルダー８ｂの全長にわたって延びる凹溝８６を形成すると共に、この凹溝８６に磁石８７を組み込んで、両ナイフホルダー８ａ・８ｂ間に介装するナイフ５を前記磁石８７に吸着させて、ナイフ５をナイフホルダー８ｂに固着させるようにしている。
【００１５】
一方、ナイフロータ６には、第１ナイフホルダー８ａをボルト止めするための複数の第１ボルト孔６１と、第２ナイフホルダー８ｂをボルト止めするための複数の第２ボルト孔６２とを、それぞれ該ナイフロータ６の長手方向に沿って形成しているのであって、図に示す実施形態では、図５に示すように、第１、第２ナイフホルダー８ａ・８ｂ並びにナイフ５が、ナイフロータ６の外周面にスパイラル状に設置されるように、各第１ボルト孔６１及び第２ボルト孔６２を、それぞれ各ボルト孔６１・６２の中心を結ぶ軌跡がナイフロータ６の軸芯線Ｌに対して周方向に若干振れた弓なりとなるように形成している。
【００１６】
図に示す実施形態では、固定壁部８１に形成するボルト挿通孔８３の内径を、ボルト８８の軸の外径よりも若干大きくして、第１、第２ナイフホルダー８ａ・８ｂを、ボルト８８、換言すればナイフロータ６に対して僅かに位置変更可能として、該ボルト挿通孔８３とボルト８８を、ナイフロータ６に対する第１、第２ナイフホルダー８ａ・８ｂの固定位置を調整可能とする第１調整手段としている。
【００１７】
またプレーンロータ７の外周面は、ナイフ５の先端が押しつけられたときに磨耗し難くてしかも裁断する紙に切り残しが出ないよう、硬い金属で滑らかに形成されている。
尚、図中８９は、ナイフ５がナイフホルダー８ａ・８ｂの長手方向外方に抜け出すのを阻止するためのストッパープレートであって、両ナイフホルダー８ａ・８ｂの端縁間にボルト８９ａで固定している。
【００１８】
以上の構造からなるロータリーカッター装置のナイフロータ６にナイフ５を取り付けるには、先ず第２ナイフホルダー８ｂにおける固定壁部８１のボルト挿通孔８３に挿通したボルト８８を、第２ボルト孔６２に螺締して、第２ナイフホルダー８ｂをナイフロータ６の外周面にスパイラル状に固定した上で、該第２ナイフホルダー８ｂの縦壁部８２の側面に組付けている磁石８７にナイフ５を吸着させて、該ナイフ５の一端をナイフロータ６の外周面に当接させる。
【００１９】
そして第１ナイフホルダー８ａにおける固定壁部８１のボルト挿通孔８３に挿通したボルト８８を、第１ボルト孔６１に螺締して、該第１ナイフホルダー８ａをナイフロータ６の外周面にスパイラル状に固定することで、両ナイフホルダー８ａ・８ｂの縦壁部８２間にナイフ５を介装する。
尚、ナイフホルダー８ａ・８ｂの縦壁部８２間の隙間は、ナイフ５の厚さよりも僅かに広くしておく。
【００２０】
続いて、ネジ体８４を適宜螺締して、このねじ体８４の先端でナイフ５の側面を第２ナイフホルダー８ｂ側に押圧することで、ナイフ５のナイフホルダー８ａ・８ｂに対する位置を微調整すれば、ナイフ５は、ナイフロータ６の外周面の所望位置にスパイラル状に組付けられるのである。
斯くして以上の実施形態では、ボルト挿通孔８３の内径を、ボルト８８の軸の外径よりも若干大きくして、第１、第２ナイフホルダー８ａ・８ｂを、ボルト８８に対して僅かに位置変更可能としているので、ナイフロータ６に対する第１、第２ナイフホルダー８ａ・８ｂの固定位置を微調整することが出来、ナイフのスパイラル角度や、２枚のナイフ５の相対的な位置関係の微調整が簡単に行えるのである。
【００２１】
【発明の効果】
請求項１記載の発明によれば、凹溝を穿設した従来のものに比べてナイフロータ６の強度をアップすることが出来るし、またナイフホルダー８ａ・８ｂ間に介装したナイフ５の一端を、容易に加工精度を高められるナイフロータ６の外周面で受け止めるようにしているので、ナイフの高さの精度が向上して、被切断物の切断性能の向上が図れるし、磁石８７により、ナイフ５のナイフロータ６に対する装着が簡単且つ確実に行えるし、ナイフロータ６に対するナイフホルダー８ａ・８ｂの固定位置を調整可能とする第１調整手段により、例えばスパイラル状に配置されるナイフ５のナイフロータ６に対する取り付け位置や、該ナイフ５のスパイラル角度の微調整が簡単に行うことが出来るし、更にナイフホルダー８ａ・８ｂに対するナイフ５の取り付け位置を調整可能とする第２調整手段により、ナイフホルダー８ａ・８ｂに対するナイフ５の位置を微調整することが出来て、スパイラル状に配置されるナイフ５をナイフロータ６の外周面の所定位置に正確に組付けることが出来る。
【図面の簡単な説明】
【図１】ロータリーカッター装置を備えた紙裁断機の概略説明図。
【図２】ロータリーカッター装置におけるナイフロータの要部の平面図。
【図３】ロータリーカッター装置におけるナイフロータの要部の正面図。
【図４】図２におけるＸ−Ｘ線拡大断面図。
【図５】ナイフロータの一部を省略して示す平面図。
【符号の説明】
５ ナイフ
６ ナイフロータ
７ プレーンロータ
８ａ 第１ナイフホルダー
８ｂ 第２ナイフホルダー
８３ ボルト挿通孔（第１調整手段）
８８ ボルト（第１調整手段）
８４ ネジ体（第２調整手段）
【図１】
0004051112.tif 000002
【図２】
0004051112.tif 000003
【図３】
0004051112.tif 000004
【図４】
0004051112.tif 000005
【図５】
0004051112.tif 000006